【事件の表示】
　平成　８年特許願第　５９７５５号「画像形成装置」拒絶査定に対する審判事件［平成　９年　９月２２日出願公開、特開平　９−２５１２５７］について、次のとおり審決する。
【結　論】
　本件審判の請求は、成り立たない。
【理　由】
１．手続の経緯・本願発明
　本願は、平成8年3月15日の出願であって、その請求項１ないし４に係る発明は、平成10年8月18日付けおよび平成11年3月8日付け手続補正書によって補正された明細書および図面の記載からみて、その特許請求の範囲の請求項１ないし４に記載されたとおりのものであり、特に請求項１に係る発明は次のとおりのものである。以下、「本願発明１」という。
「【請求項１】　互いに異なるサイズの複数の被画像形成媒体を収容する複数の給紙カセットからなる収容手段と、
　原稿台に載置される原稿の画像を露光走査して読取り、その読取り画像に対応する画像を前記収容手段から供給された被画像形成媒体上に形成する一連の画像形成動作を行う画像形成手段と、
　複数枚の原稿がセットされ、セットされた原稿を一枚ずつ前記画像形成手段の前記原稿台上に送り、前記原稿台から原稿を排出する原稿送り手段と、
　この原稿送り手段に設けられ、送られる原稿のサイズを検出する検出手段と、
　前記画像形成手段による画像形成動作の実行前に前記原稿送り手段を動作させ、その原稿送り手段にセットされている全ての原稿を送りながら各原稿のサイズを検出するように前記原稿送り手段ならびに前記検出手段を制御して原稿サイズ検出動作を行う制御手段と、
　この制御手段によって行われる前記原稿サイズ検出動作にて検出される原稿サイズに適した被画像形成媒体が収容されている前記収容手段の給紙カセットを、前記原稿の送り順序に対応付けて記憶する記憶手段と、
　前記制御手段によって行われる前記原稿サイズ検出動作により、前記画像形成手段にて画像形成動作を行うのに不適切なサイズの原稿が検出されたとき、これを表示する表示手段と、
　を具備したことを特徴とする画像形成装置。」
　
２．引用刊行物記載の発明
　原査定の拒絶の理由に引用された刊行物Ｂ（特開昭61−262733号公報）には次のような技術事項が図面とともに記載されている。
［刊行物Ｂ］
ａ．（１）原稿トレイに載置された複数枚の原稿をその最下部に位置するものから順に原稿台に給紙し、原稿台上の原稿を原稿トレイに載置されている原稿の最上部に排出する原稿循環送り装置を備えた複写機において、原稿トレイからの給紙中に原稿の紙サイズを検出する原稿サイズ検知手段と、複写動作開始前に原稿トレイに載置された原稿を一循環し、この間に上記原稿サイズ検知手段が検出した紙サイズの全てを順に制御部のメモリに記憶する原稿サイズ記憶手段と、この原稿サイズ記憶手段に記憶した紙サイズと入力設定された複写倍率とから各原稿に対して必要な用紙サイズを演算する用紙サイズ演算手段と、この用紙サイズ演算手段により求めた用紙サイズとその不備または不足を表示する必要用紙表示手段とを設けてなる原稿循環送り装置を備えた複写機。（第1頁　特許請求の範囲の項参照）
ｂ．したがって原稿トレイに載置されている複数種の紙サイズを有する原稿の全てについて必要な用紙サイズとその枚数を予め知ることができ、必要用紙表示手段によりその用紙サイズおよび不備または不足を表示することにより、オペレータに必要な用紙の準備作業を促すことができ、倍率変換複写機能を有効に活用して複数種の紙サイズの原稿について連続して倍率変換複写動作を行うことができる。（第2頁右下欄第3行〜同欄第11行参照）
ｃ．（ａ）構造説明　第２図は、この発明の実施例である原稿循環送り装置を備えた複写機の概略構造を示す正面断面図である。キャビネット3上に載置された複写機本体2の上面の原稿台11の上方には原稿循環送り装置1が配設されている。複写機本体2およびキャビネット3の左側面にはソータ15が装着されている。複写機本体2の内部には感光体ドラム19が配設され、複写プロセス部を構成している。複写機本体2の右側面には用紙カセット20ａ〜20ｃが装着されており、用紙給紙部を構成している。この用紙カセット20ａ〜20ｃにはそれぞれサイズの異なる用紙が収納されている。用紙給紙部と複写プロセス部との間にＰＳローラ21が配設されている。このＰＳローラ21は感光体ドラム19の回動に同期して用紙を転写工程位置に導くものである。感光体ドラム19の左側には用紙搬送ベルト12および定着ローラ13が配設され、複写機内用紙搬送路31を構成している。更に複写機本体2の内部の左端には用紙排紙ローラ14が配設され、用紙排紙部を構成している。（第2頁右下欄第13行〜第3頁左上欄第14行参照）
ｄ．原稿循環送り装置1の内部には原稿給紙ベルト5、原稿給紙ローラ6、原稿排出ローラ7ａ，7ｂおよび原稿切り換え爪8が配設されている。原稿給紙ベルト5と原稿給紙ローラ6との間には原稿トレイ4が装着されている。この原稿トレイ4に原稿9が装着され、その最下部に位置するものから順に給紙される。複写機本体2の上面の原稿台11の上方には原稿搬送ベルト10が配設されており、原稿給紙ベルト5および原稿給紙ローラ6により原稿給送搬送路36を経由して給紙された原稿9を原稿台11の所定の位置に搬送する。・・・搬送ベルト10は正逆両方向に回動可能にされており、用紙を原稿台上に給送するとともに、原稿トレイ4に載置された原稿の上方に排出する。原稿給送搬送路36には原稿のサイズを検出する原稿サイズ検知センサ45が配設されている。（第3頁左上欄第15行〜右上欄第15行参照）
ｅ．第４図は、上記原稿循環送り装置を備えた複写機の制御部のブロック図である。ＣＰＵ51には、内部バスを介してＲＯＭ52，ＲＡＭ53およびＩ／Ｏインターフェイス54が接続されている。ＲＯＭ52には設定されたモードに係る動作等の予め設定された動作をＣＰＵに行わせるためのプログラムが記憶されている。ＲＡＭ53には入出力されるデータが記憶される。（第3頁右下欄第19行〜第4頁左上欄第6行参照）
ｆ．この後ｎ４で原稿給紙ベルト5および原稿給紙ローラ6を動作して原稿トレイ4上に載置されている原稿の最下部に位置するものを原稿給送搬送路36方向に給紙し、ｎ５において原稿サイズ検知センサ45により原稿のサイズを検出する。この時、ｎ6でポインタｉの内容を一つ加算し、ｎ7でメモリエリアＭｉに検出したサイズを記憶する。・・・ｎ10において原稿が残留している場合にはｎ4に戻り、ｎ4〜ｎ9の動作を行う。この動作を原稿トレイ4上に載置された原稿の枚数分を行うことにより、載置された原稿の全てについてそれぞれの紙サイズを検出し、ＲＡＭ53に設けられたメモリエリアＭ1〜Ｍｉに記憶することができる。（第4頁右上欄第17行〜右下欄第2行参照）
ｇ．以上の動作においてｎ4〜ｎ10がこの発明の原稿サイズ検知手段および原稿サイズ記憶手段に対応する。この後、ｎ12でオペレータにより倍率変換複写機のモード設定および複写倍率等のデータが設定入力されると、ｎ13でメモリエリアＭ1〜Ｍｉに記憶された原稿の紙サイズを読み出す。ｎ14において読み出した原稿サイズＡにｎ12において入力された複写倍率Ｚを乗算し、必要な用紙サイズＢを求める。次いでｎ15〜ｎ17で必要な複写用紙の紙サイズがそれぞれＡ３、Ｂ４またはＡ４であるか否かを判別する。即ち、用紙サイズＢがＡ３である場合にはｎ15からｎ18に進み、Ａ３サイズのポインタＣ1の内容を１にする。複写用紙の紙サイズＢがＢ４である場合にはｎ16からｎ19に進み、Ｂ４サイズのポインタＣ２の内容１にする。・・・このｎ13〜ｎ22の動作の繰り返しにより原稿トレイ4に載置された原稿の倍率変換複写動作に必要な複写用紙の全ての紙サイズのポインタの内容を１にする。（第4頁右下欄第11行〜第5頁第1行参照）
ｈ．次いでｎ23においてポインタＣ1〜Ｃ4のうちその内容が１である紙サイズを収納した用紙カセットに対応する用紙カセット表示器を点灯する。次いでｎ24ではポインタの内容が１である紙サイズで、その紙サイズを収納した用紙カセットが装着されていないものがあるか否かを判別する。未装着の紙サイズの用紙カセットがある場合にはｎ25で用紙サイズ表示器62をオンし、オペレータに必要なサイズの用紙カセットの装着を促す。ｎ24において未装着サイズがない場合には直接ｎ26に進み、プリントスイッチがオンされると、ｎ27で複写動作が行われる。（第5頁右上欄第2行〜同欄第13行参照）
　
　以上の記載を対比のためにまとめると、
ア）摘記事項ｃ．の記載からみて、複写機の複写プロセス部は画像を形成する手段であると言い換えることができ、
イ）摘記事項ｄ．の記載からみて、原稿トレイ4、原稿給紙ベルト5、原稿給紙ローラ6、原稿排出ローラ、原稿搬送ベルト7ａ，7ｂおよび原稿切り換え爪8は、「複数枚の原稿がセットされ、セットされた原稿を一枚ずつ画像形成手段の原稿台上に送り、原稿台から原稿を排出する原稿送り手段」であると言い換えることができ、
ウ）摘記事項ｅ．ないしｈの記載からみて、ＣＰＵ51は原稿送り手段にセットされている全ての原稿を送りながら各原稿のサイズを検出するように原稿送り手段ならびに検出手段を制御して原稿サイズ検出動作を行う制御手段を備えているということができ、
エ）摘記事項ｆ．の記載からみて、この制御手段によって行われる原稿サイズ検出動作により、検出された原稿サイズを原稿の送り順序に対応させてメモリに記憶させており、
オ）摘記事項ｈ．の記載からみて、検出された原稿サイズに複写倍率を乗算して必要な用紙サイズを求め、画像形成手段にて画像形成動作を行うために必要な用紙サイズの紙が収納された給紙カセットが装着されていないことが判別されたとき、用紙サイズ表示器に表示するものであり、
　刊行物Ｂには次のような発明が図面とともに記載されている。
　
「互いに異なるサイズの複数の用紙を収容する複数の用紙カセットからなる用紙給紙部と、画像形成手段と、複数枚の原稿がセットされ、セットされた原稿を一枚ずつ画像形成手段の原稿台上に送り、原稿台から原稿を排出する原稿送り手段と、この原稿送り手段に設けられ、送られる原稿のサイズを検出する原稿サイズ検知センサと、画像形成手段による画像形成動作の実行前に原稿送り手段を動作させ、その原稿送り手段にセットされている全ての原稿を送りながら各原稿のサイズを検出するように原稿送り手段ならびに原稿サイズ検知センサを制御して原稿サイズ検出動作を行う制御手段と、この制御手段によって行われる原稿サイズ検出動作により、検出された原稿サイズを原稿の送り順序に対応させて記憶するメモリと、制御手段によって行われる原稿サイズ検出動作により検出された原稿サイズに複写倍率を乗算して必要な用紙サイズを求め、画像形成手段にて画像形成動作を行うために必要な用紙サイズの紙が収納された給紙カセットが装着されていないことが判別されたとき、これを表示する用紙サイズ表示器と、を具備した複写機。」
　
３．対比
　本願発明１を刊行物Ｂ記載の発明と対比すると、
ア）刊行物Ｂ記載の発明の「用紙」、「用紙カセット」、「用紙給紙部」、「原稿サイズ検知センサ」、「メモリ」、「用紙サイズ表示器」、「複写機」は、それぞれ本願発明１の「被画像形成媒体」、「給紙カセット」、「収納手段」、「検出手段」、「記憶手段」、「表示手段」、「画像形成装置」に相当し、
イ）刊行物Ｂ記載の発明の「制御手段によって行われる原稿サイズ検出動作により、検出された原稿サイズを原稿の送り順序に対応させて記憶するメモリ」と本願発明１の「制御手段によって行われる前記原稿サイズ検出動作にて検出される原稿サイズに適した被画像形成媒体が収容されている前記収容手段の給紙カセットを、前記原稿の送り順序に対応付けて記憶する記憶手段」とは、「制御手段によって行われる原稿サイズ検出動作にて検出される原稿サイズに関連した情報を、原稿の送り順序に対応付けて記憶する記憶手段」である点で共通しており、
ウ）刊行物Ｂ記載の発明の「原稿サイズ検出動作により検出された原稿サイズに複写倍率を乗算して必要な用紙サイズを求め、画像形成手段にて画像形成動作を行うために必要な用紙サイズの紙が収納された給紙カセットが装着されていないことが判別されたとき、これを用紙サイズ表示器に表示させる」とは、見方を変えれば、そのサイズの原稿については画像形成動作を行うことができないことから、「検出された原稿サイズが画像形成動作を行うのに不適切なサイズであることを判別し、それを表示手段に表示する」ことと技術的に差がなく、
　以上のことから、両者間には次のような一致点、相違点がある。
（一致点）
　互いに異なるサイズの複数の被画像形成媒体を収容する複数の給紙カセットからなる収容手段と、画像形成手段と、複数枚の原稿がセットされ、セットされた原稿を一枚ずつ画像形成手段の原稿台上に送り、原稿台から原稿を排出する原稿送り手段と、この原稿送り手段に設けられ、送られる原稿のサイズを検出する検出手段と、画像形成手段による画像形成動作の実行前に原稿送り手段を動作させ、その原稿送り手段にセットされている全ての原稿を送りながら各原稿のサイズを検出するように原稿送り手段ならびに検出手段を制御して原稿サイズ検出動作を行う制御手段と、この制御手段によって行われる原稿サイズ検出動作にて検出される原稿サイズに関連する情報を、原稿の送り順序に対応付けて記憶する記憶手段と、制御手段によって行われる原稿サイズ検出動作により、画像形成手段にて画像形成動作を行うのに不適切なサイズの原稿が検出されたとき、これを表示する表示手段と、を具備した画像形成装置。
（相違点）
（１）画像形成手段が、本願発明１では原稿台に載置される原稿の画像を露光走査して読取り、その読取り画像に対応する画像を前記収容手段から供給された被画像形成媒体上に形成する一連の画像形成動作を行う手段であるのに対して、刊行物Ｂ記載の発明では複写プロセス部19とあり第２図に図面が示されているだけで、一連の画像形成動作について具体的な説明がなされていない点
（２）制御手段によって行われる原稿サイズ検出動作にて検出される原稿サイズに関連した情報を、原稿の送り順序に対応付けて記憶する記憶手段が、本願発明１が「原稿サイズに適した被画像形成媒体が収容されている収容手段の給紙カセットを原稿の送り順序に対応付けて記憶」するものであるのに対して、刊行物Ｂ記載の発明は原稿サイズそのものを原稿の送り順序に対応付けて記憶するものである点
　
４．当審の判断
　相違点（１）については、原稿台に載置される原稿の画像を露光走査して読取り、その読取り画像に対応する画像を収容手段から供給された被画像形成媒体上に形成する一連の画像形成動作を行う画像形成手段を備えた画像形成装置が、原査定において周知例として挙げた特開平4−149463号公報にも記載されているように周知であり、この点は当業者が容易に考えつくことができた構成の変更である。
　相違点（２）については、刊行物Ｂ記載の発明においても、複写動作に先だって原稿１枚毎に原稿サイズを検出し、検出された原稿サイズを記憶手段に記憶させ、倍率変換後の用紙サイズを演算し、その演算結果から原稿の送り順序に用紙カセットを対応付ける演算を実施している。
　この原稿サイズと用紙カセットの対応付けは、複写動作においても必要なことは明らかであり、この対応付け動作を複写動作において再度実行しなくてもよいように、対応する用紙カセットを原稿の送り順序に記憶手段に記憶させ、複写動作に利用しようとする程度のことは、複写速度の高速化が課題として周知であることからみて、当業者が容易に考えつくことができたことである。
　
５．むすび
　以上のことから、本願発明１は刊行物Ｂ記載の発明および周知技術に基づいて当業者が容易に発明をすることができたものであり、特許法第29条第2項の規定により特許を受けることができない。
　よって、結論の通り審決する。